(57)【要約】【課題】  マスタの制御リストまたはアルバム用制御リストが復旧し、復旧したマスタの制御リストまたはアルバム用制御リストに基づきコンテンツの管理を行う。【解決手段】ＤＳＣ２は、撮像装置２０と、圧縮伸長エンジン１９，ＣＰＵ２１，ＲＯＭ２２，ＲＡＭ２３，画像記録部２４，ファイル管理部２５，外部Ｉ／Ｆ２６を備え、マスタの制御リストまたはアルバム用制御リストが、ユーザの誤操作や記録媒体の劣化、外部環境の影響などで削除されたり読むことができなくなった場合に、個々のアルバム用制御リストの所在あるいはファイルパスを装置内で取得する。そして、それぞれのアルバム用制御リストの所在を列挙したものをマスタの制御リストとして再度作成すなわち復旧する。【選択図】  図２
2005285164.tif 000002
【特許請求の範囲】
【請求項１】
制御リストを通じてコンテンツを記録再生するデータ記録再生装置において、
記録媒体内の前記制御リストあるいは前記コンテンツを検索する検索手段と、
前記制御リスト間、あるいは前記制御リストと前記コンテンツ間の参照・被参照関係を調べる検証手段と、
全ての前記制御リストと前記コンテンツが参照されるよう前記制御リストを作成する作成手段と、
前記制御リストと前記コンテンツの前記参照・被参照関係を前記制御リスト消失前の状態に戻す状態帰還手段と
を備えたことを特徴とするデータ記録再生装置。
【請求項２】
制御リストを通じてコンテンツを記録再生するデータ記録再生方法において、
記録媒体内の前記制御リストあるいは前記コンテンツを検索する検索工程と、
前記制御リスト間、あるいは前記制御リストと前記コンテンツ間の参照・被参照関係を調べる検証工程と、
全ての前記制御リストと前記コンテンツが参照されるよう前記制御リストを作成する作成工程と、
前記制御リストと前記コンテンツの前記参照・被参照関係を前記制御リスト消失前の状態に戻す状態帰還工程と、
を備えたことを特徴とするデータ記録再生方法。
【請求項３】
前記作成工程は、
新規で前記制御リストを作成し、参照元が存在しない前記コンテンツを前記制御リストに追加する
ことを特徴とする請求項２に記載のデータ記録再生方法。
【請求項４】
前記状態帰還工程は、
前記制御リストの格納フォルダと、該フォルダ内の前記制御リストを参照している前記制御リストとの間で共通する名前をもつことを利用する
ことを特徴とする請求項２に記載のデータ記録再生方法。
【発明の詳細な説明】
【技術分野】
【０００１】
本発明は、制御リストを通じて画像・音声・動画等のコンテンツを記録再生するデータ記録再生装置に関する。
【背景技術】
【０００２】
従来のＤＳＣ（デジタルスキャンカメラ）等のファイル管理では、例えば特開２００２−１９９３３４号公報のように、従来のファイル管理構造に対して影響せずに、任意のカテゴリ毎に制御リストを特定のフォルダ内に作成し、制御リスト毎にアルバムのような概念でファイルを扱っていた。
【０００３】
また、公知の技術として、親制御リストと子制御リスト、さらには孫制御リストのように、階層を持ってリンクする構造がある。例えばアルバムについては、マスタの制御リストはアルバム用の制御リストヘのリンクを記述し、アルバム用の制御リストはそれぞれの画像へのリンクを記述しており、制御リストから画像を再生することができる。
【特許文献１】特開２００２−１９９３３４号公報
【発明の開示】
【発明が解決しようとする課題】
【０００４】
しかしながら、前記特開２００２−１９９３３４号公報等では、制御リストが消失した場合には、画像の表示ができなくなる、といった問題がある。
【０００５】
本発明は、上記事情に鑑みてなされたものであり、マスタの制御リストまたはアルバム用制御リストが復旧し、復旧したマスタの制御リストまたはアルバム用制御リストに基づきコンテンツの管理を行うことのできるデータ記録再生装置を提供することを目的としている。
【課題を解決するための手段】
【０００６】
本発明のデータ記録再生装置は、制御リストを通じてコンテンツを記録再生するデータ記録再生装置において、記録媒体内の前記制御リストあるいは前記コンテンツを検索する検索手段と、前記制御リスト間、あるいは前記制御リストと前記コンテンツ間の参照・被参照関係を調べる検証手段と、全ての前記制御リストと前記コンテンツが参照されるよう前記制御リストを作成する作成手段と、前記制御リストと前記コンテンツの前記参照・被参照関係を前記制御リスト消失前の状態に戻す状態帰還手段とを備えて構成される。
【発明の効果】
【０００７】
本発明によれば、マスタの制御リストまたはアルバム用制御リストが復旧し、復旧したマスタの制御リストまたはアルバム用制御リストに基づきコンテンツの管理を行うことができるという効果がある。
【発明を実施するための最良の形態】
【０００８】
以下、図面を参照しながら本発明の実施例について述べる。
【実施例１】
【０００９】
図１ないし図１９は本発明の実施例１に係わり、図１はＤＳＣの背面構成を示す外観図、図２は図１のＤＳＣの構成を示すブロック図、図３は図１のＤＳＣでの画像・音声・動画等のコンテンツ及び制御リストファイルからなるフォルダ構成を示す図、図４は図１のＤＳＣでのマスタの制御リストとアルバム用制御リストの関係を示す図、図５はマスタ制御リストalbum.lstが消失してしまった状態の図３のフォルダ構成を示す図、図６はマスタ制御リストalbum.lstが消失してしまった状態の図４のマスタの制御リストとアルバム用制御リストの関係を示す図、図７は図２のＣＰＵによる解決方法（１）の処理の流れを示す図、図８は図７の変形例の処理の流れを示す図、図９は図７の処理で表示されるアルバム復旧中表示を示す図、図１０はアルバム用制御リストalbum001.lstが消失してしまった状態の図３のフォルダ構成を示す図、図１１はアルバム用制御リストalbum001.lstが消失してしまった状態の図４のマスタの制御リストとアルバム用制御リストの関係を示す図、図１２は図２のＣＰＵによる解決方法（２）の処理の流れを示す図、図１３は図７の処理で表示されるアルバム復旧中表示の第１の変形例を示す図、図１４は図７の処理で表示されるアルバム復旧中表示の第２の変形例を示す第１の図、図１５は図７の処理で表示されるアルバム復旧中表示の第２の変形例を示す第２の図、図１６は図７の処理で表示されるアルバム復旧中表示の第２の変形例を示す第３の図、図１７はデータ記録再生装置としてのＤＳＣ単体構成を示す図、図１８はデータ記録再生装置の第１の変形例構成を示す図、図１９はデータ記録再生装置の第２の変形例構成を示す図である。
【００１０】
図１に示すように、本実施例のデジタルスチルカメラ（以下、ＤＳＣ）２の背面には、被写体を撮影した画像を表示したり各種設定画面を表示する液晶表示部４と、被写体像を確認するファインダ５と、ＤＳＣ２の電源オン状態を示すパワーＬＥＤ６と、液晶表示部４に表示される各種設定画面上での操作データを入力する選択／決定ボタン９等とが設けられ、ＤＳＣ２の上部には、画像の撮像を指示するシャッタ１０と、ＤＳＣ２における撮影モード及び操作モード等のモードを選択するモード選択ダイヤル１１等が設けられている。
【００１１】
図２に示すように、ＤＳＣ２は、撮像装置２０と、圧縮伸長エンジン１９，ＣＰＵ２１，ＲＯＭ２２，ＲＡＭ２３，画像記録部２４，ファイル管理部２５，外部Ｉ／Ｆ２６を備え、ＲＯＭ２２に格納されている制御プログラムに従いＲＡＭ２３を用いてＣＰＵ２１が各種制御を行うようになっている。
【００１２】
撮影時には、圧縮伸長エンジン１９は、ＣＰＵ２１からの指示によりＲＡＭ２３内の撮像データをＣＰＵ２１が指定するフォーマットの画像へと圧縮する。圧縮された画像は、ＣＰＵ２１からの指示によりファイル管理部２５を通して画像記録部２４に記録される。
【００１３】
再生時には、圧縮伸長エンジン１９は、ＣＰＵ２１からの指示により画像記録部２４内の画像を、記録されているフォーマットに従い伸長する。伸長された画像データは、液晶表示部４に再生される。
【００１４】
画像記録部２４は、スマートメディアを始めとする半導体メモリ、あるいは磁気メモリ、ハードディスクなどの磁気ディスク、ＣＤなどの光ディスク、ＭＯなどの光磁気ディスク、上記の組み合わせ、などであってもよい。あるいは、画像記録部２４は単数である必要は無く、複数の記録媒体からなっていても構わない。
【００１５】
画像記録部２４に格納された複数の画像データは液晶表示部４に縮小されて表示ができ、選択／決定ボタン９を用いて所望の画像データを図示しないＰＣ（パーソナルコンピュータ）等に保存させることができるようになっている。
【００１６】
図３は、ＤＳＣ２の画像記録部２４に格納された、画像・音声・動画等のコンテンツファイルおよび制御リストファイルからなるフォルダ構成の例である。コンテンツはDCIMフォルダ以下にDCF規格に従って格納されている。
【００１７】
一方、ＰＣからコピーされたコンテンツはDCF規格とは無関係に存在し、図３では例えば××旅行という名のフォルダ内に入っている。 Album フォルダには、各アルバム用の制御リストが格納されている。各アルバム用制御リストとは別にマスタの制御リストが存在し、これはrootの下にalbum.lstとして存在する。
【００１８】
図４は、マスタの制御リストとアルバム用制御リストの関係を示した一例である。マスタの制御リスト内には、アルバム用制御リストのファイルの存在位置を示すファイルパスが記載されている。アルバム用制御リスト内には、画像・動画・音声などのコンテンツ、及び他のアルバム用制御リストのファイルの画像記録部２４内の存在位置を示すファイルパスが記載されている。
【００１９】
図４を元に、ＤＳＣ２の再生時の動作を以下に説明する。ＤＳＣ２は、まず画像記録部２４内のroot直下に存在する、マスタの制御リストalbum.lstを開く。
【００２０】
マスタの制御リスト内には、アルバム用制御リストのファイルパスが、まず先頭に￥Album￥album001.lstと記載されている。これを取得したところで、そのファイルパス通りにalbum001.lstを開く。 album001.lst内には複数のコンテンツのファイルパスが記載されており、album001.lstを一つのアルバムとして扱うことができる。
【００２１】
一つのアルバムに対して、コンテンツが保存されているフォルダは一つだけである必要は無く、album002.lstは別々のフォルダに保存されているコンテンツから抜粋して作成されたものである。
【００２２】
また、album003.lstは、アルバムの中からさらに別のアルバムを参照するように作成されたものである。その場合、album003.lstから参照するアルバム用制御リストは、￥Album￥Album003というように、参照元のアルバム用制御リストのファイル名と共通する名前の、album003.lstと同じ階層にあるフォルダに格納される。
【００２３】
図５及び図６は、図３、図４のフォルダ構成およびアルバム構成から、灰色の背景色で示しているマスタ制御リストalbum.lstが消失してしまった状態を示すフォルダ・アルバム構成図である。
【００２４】
album001.lst、album002.lst、album003.lstは、album.lstから参照されていたため、album.lstの消失によりＤＳＣ２はマスタ制御リストを参照することができず、album001.lst、album002.lst、album003.lstを参照できない状態となっている。
【００２５】
上述のＤＳＣ２の再生時の動作説明の通り、root直下のマスタの制御リストalbum.lstからコンテンツの参照を行うため、album.lstが消失している状態では、ＤＳＣ２は制御リストに従ったコンテンツ再生を行うことができない。
【００２６】
本実施例では、以下の解決方法（１）及び（２）で制御リストとして再度作成すなわち復旧する。すなわち、
解決方法（１）：
マスタの制御リストが、ユーザの誤操作や記録媒体の劣化、外部環境の影響などで削除されたり読むことができなくなった場合に、個々のアルバム用制御リストの所在であるファイルパスを装置内で取得する。そして、それぞれのアルバム用制御リストの所在を列挙したものをマスタの制御リストとして再度作成すなわち復旧する。
【００２７】
解決方法（２）：
アルバム用の制御リストが、解決方法（１）と同様の原因により削除されたり読むことができなくなった場合に、読むことができるアルバム用制御リストのいずれの中にも記載されていないコンテンツが存在すれば、個々の記載されていないコンテンツの所在を装置内で取得する。そして、それぞれのコンテンツの所在を列挙したものを未定義、例えばアルバム名や表紙などがない、またはデフォルトのものが適用されたとしてアルバム用の制御リストとして再度作成すなわち復旧する。
【００２８】
図７あるいは図８は、解決方法（１）でのアルバムの復旧手順を示したものである。図７に示すように、まずステップＳ１にて、ＤＳＣ２内のＣＰＵ２１から、ファイル管理部２５を通して画像記録部２４のrootに対して、マスタ制御リストalbum.lstの検索を行う。
【００２９】
album.lstが見つかった場合は、ステップＳ２にて、マスタ制御リスト内に記載されているアルバム用制御リストの各ファイルパスを取得し、ＲＡＭ２３に記憶させる。 
album.lstが見つからなかった場合は、ステップＳ３にで、マスタ制御リストalbum.lstを、中身は空のまま画像記録部２４のrootに新規作成する。
【００３０】
ステップＳ４にて、画像記録部２４のAlbumフォルダ以下に対して、マスタ制御リスト以外の制御リストであるルバム用制御リストの検索を行う。検索でアルバム用制御リストが見つかると、自身がステップＳ２にてＲＡＭ２３に記憶したファイルパスと一致するかを確認し、また、他のアルバム用制御リスト内で参照されているかを確認する。
【００３１】
検索・確認の結果、ステップＳ５にて、全てのアルバム用制御リストが、マスタ制御リスト、または他のアルバム用制御リストから参照されているならば終了する。
【００３２】
しかし、マスタ制御リスト、または他のアルバム用制御リストから参照されていないような、参照元が存在しないアルバム用制御リストがあった場合、ステップＳ６にて、アルバム復旧中であることをユーザに告知するために、図９のように液晶表示部４にアルバム復旧中表示１００を表示させる。 
そして、ステップＳ７ａにて、そのアルバム用制御リストの実際ファイルパスを、マスタの制御リストヘ書き出し、追加する。ステップＳ８にて、液晶表示部４に表示されているアルバム復旧中表示１００を消去する。
【００３３】
あるいは、図８に示すようにステップＳ５の結果、ステップＳ６にてアルバム復旧中表示１００をさせた後、ステップＳ７ｘにて、参照元が存在しないアルバム用制御リストが格納されているフォルダ名と共通する名前の制御リストが存在するか確認する。
【００３４】
存在しない場合はステップＳ７ｙにて、そのフォルダ名と共通する名前のアルバム用制御リストを、参照元が存在しないアルバム用制御リストの一つ上の階層に空で作成する。
【００３５】
その後ステップＳ７ｚにて、そのフォルダ名と共通する名前のアルバム用制御リストに、参照元が存在しないアルバム用制御リストのファイルパスを追加する。次にステップＳ８にて、アルバム復旧中表示１００を消去する。
【００３６】
図５及び図６の例では、ステップＳ１にて画像記録部２４内を検索し、マスタ制御リストが見つからないのでステップＳ３にて空のマスタ制御リストを作成する。ステップＳ４にて検索した結果、￥Album￥album001.lst、￥Album￥album002.lst、￥Album￥album003.lst、￥Album￥Album003￥album101.lst、￥Album￥Album003￥album102.lstの５つのアルバム用制御リストが見つかる。
【００３７】
ステップＳ５の判断の結果、￥Album￥album001.lst、￥Album￥album002.lst、￥Album￥album003.lst、は参照元が存在しないことになる。そのため、ステップＳ７ａにて、ステップＳ３で新規作成したマスタ制御リストヘこれら３つのファイルパスを書き込む。あるいは、S3を通った結果として、ステップＳ７ｘにてフォルダAlbumと名が共通する制御リストalbum.lstであるマスタ制御リストが見つかるので、ステップＳ７ｚでマスタ制御リストヘこれら３つのファイルパスを書き込む。これにより、マスタ制御リストは復旧され、ＤＳＣ２内のコンテンツを再生することができるようになる。
【００３８】
また、例えば、album003.lstが消失してしまった場合でも、album101.lst、album102.lstがフォルダAlbum003に格納されていることを利用して、共通の名前を持つアルバム用制御リストalbum003.lstにそれらのアルバム用制御リストのファイルパスを追加して、アルバム用制御リスト消失前の状況に復旧し、アルバム内のコンテンツを再生することができる。
【００３９】
例えば、ステップＳ１，Ｓ２，Ｓ４，Ｓ５と辿り、album101.lst、album102.lstについて参照元が存在しないことが確認される。どちらの制御リストもフォルダAlbum003の中に格納されているため、ステップＳｘで、album003の名前をもつアルバム用制御リストが存在するかどうか確認する。
【００４０】
その結果、album003.lstは消失しているので存在せず、ステップＳ７ｙで￥Album￥Album003の一つ上の階層、￥Albumに、album003.lstが空で作成される。 ステップＳ７ｚにおいて、参照元が存在していない２つのアルバム用制御リストのファイルパス、￥Album￥Album003￥album101.lst、￥Album￥Album003￥album102.lstを、album003.lst内に書き込む。これにより、消失していたアルバム用制御リストが消失する前の形に復旧し、マスタ制御リストから辿ってalbum101.lst、album102.lst内のコンテンツを再生できるよう復旧される。
【００４１】
図１０及び図１１は、図３、図４のフォルダ構成およびアルバム構成から、灰色の背景色で示しているアルバム用制御リストalbum001.lstが消失してしまった状態を示すフォルダ・アルバム構成図である。
【００４２】
￥DCIM￥100OLYMP￥P1010001.jpg、￥DCIM￥100OLYMP￥P1010002.jpg、￥DCIM￥100OLYMP￥P1010004.movは、album001.lstから参照されていたため、album001.lstの消失によりそれらのコンテンツはどこからも参照されない状態となっている。そのため、それらのコンテンツのＤＳＣ２にて再生ができない状態となっている。
【００４３】
解決方法（２）に対応する、図１２の作成手順において、ステップＳ９にて、それぞれのアルバム用制御リスト内に記載されているコンテンツの各ファイルパスを取得し、ＲＡＭ２３に記憶させる。
【００４４】
ステップＳ１０にて、画像記録部２４に対して、どの制御リストからも参照されていないコンテンツの検索を行う。検索は、コンテンツが見つかると自身がステップＳ９でＲＡＭ２３へ記憶したファイルパスと一致するかを確認することで行う。検索・確認の結果、ステップＳ１１にて、全てのコンテンツが、アルバム用制御リストから参照されているならばアルバム復旧終了となる。
【００４５】
しかし、アルバム用制御リストから参照されていないような、参照元が存在しないコンテンツがあった場合、ステップＳ１２にて、アルバム復旧中であることをユーザに告知するため、図９のように液晶表示部４にアルバム復旧中表示１００を表示させる。 ステップＳ１３にて、アルバム用制御リストを格納するフォルダAlbumが存在するか確認をする。
【００４６】
その結果、フォルダAlbumが存在しない場合のみ、ステップＳ１４にて、フォルダAlbumを作成する。その後ステップＳ１５にて、新規のアルバム用制御リストを空で作成する。そのアルバム用制御リストのファイル名については、既存のマスタ制御リストのファイル名、および既存のアルバム用制御リストのファイル名と異なる。ステップＳ１６ にて、そのコンテンツの実際のファイルパスを、ステップＳ１６で作成したアルバム用制御リストヘ書き出し、追加する。
【００４７】
ステップＳ１７にて、ステップＳ１５で作成したアルバム用制御リストのファイルパスを、マスタ制御リストヘ書き出し、追加する。次にステップＳ１８にて、アルバム復旧中表示１００を消去する。
【００４８】
図１０及び図１１の例では、ステップＳ９まで終了後、ステップＳ１０にてDCIMフォルダや××旅行フォルダ以下にある各コンテンツが見つかる。 ステップＳ１１での判断の結果、￥DCIM￥100OLYMP￥P1010001.jpg、￥DCIM￥100OLYMP￥P1010002.jpg、￥DCIM￥100OLYMP￥P1010004.movの３つについては、参照元が存在しないことになる。
【００４９】
フォルダAlbumは既に存在するので、ステップＳ１３の結果、ステップＳ１５にて他の制御リストと異なるファイル名の、新たなアルバム用制御リストを作成する。
【００５０】
この例では、album001.lstが消失しているので、例えば￥Album￥album001.lstを新規作成する。なお、アルバム用制御リスト名のファイル名は別のものでも構わない。
【００５１】
次に、ステップＳ１６にて、album001.lstへ、それら３つのコンテンツのファイルパスを書き込む。さらに、ステップＳ１７にて、マスタ制御リストalbum.lstに対して、￥Album￥album001.lstを追加する。
【００５２】
これにより、参照元が無かったコンテンツが、マスタ制御リストから辿ることができるようになり、ＤＳＣ２内のコンテンツを再生することができるよう復旧される。
【００５３】
これまで、ステップＳ６、ステップＳ１２でのアルバム復旧中表示１００は、図９に示すように文字を基本とした表示で説明してきたが、図１３のようにアルバム復旧中を示すアイコンを表示させてもよいし、あるいは図１４→図１５→図１６→図１４→…（以降ステップＳ８またはステップＳ１８が実行されるまで繰り返し）のように、液晶表示部４内のアイコンでの表示をアニメーション風に順次切り替えることでアルバム復旧中を示してもよい。
【００５４】
以上はシステムとして図１７のようにＤＳＣ単体での状態を想定したものであるが、図１８のようににＤＳＣ２から外部の記録再生装置に対して、外部Ｉ／Ｆ２６を経由して通常のファイル操作として制御リストの復旧を行うことも可能である。また、図１９のように、外部の記録再生装置に対して制御リストの復旧を行うことができるのは、ＤＳＣ２に限らず記録再生装置であれば構わない。
【００５５】
このように本実施例では、解決法法（１）においては、マスタの制御リストが復旧でき、マスタの制御リストから各々のアルバム用制御リストを辿ってコンテンツの表示ができるようになる。
【００５６】
また、解決法法（２）においては、アルバムの制御リストが復旧でき、復旧したアルバムの制御リストを通してコンテンツの表示ができるようになる。
【００５７】
本発明は、上述した実施例に限定されるものではなく、本発明の要旨を変えない範囲において、種々の変更、改変等が可能である。
【図面の簡単な説明】
【００５８】
【図１】本発明の実施例１に係るＤＳＣの背面構成を示す外観図
【図２】図１のＤＳＣの構成を示すブロック図
【図３】図１のＤＳＣでの画像・音声・動画等のコンテンツ及び制御リストファイルからなるフォルダ構成を示す図
【図４】図１のＤＳＣでのマスタの制御リストとアルバム用制御リストの関係を示す図
【図５】マスタ制御リストalbum.lstが消失してしまった状態の図３のフォルダ構成を示す図
【図６】マスタ制御リストalbum.lstが消失してしまった状態の図４のマスタの制御リストとアルバム用制御リストの関係を示す図
【図７】図２のＣＰＵによる解決方法（１）の処理の流れを示す図
【図８】図７の変形例の処理の流れを示す図
【図９】図７の処理で表示されるアルバム復旧中表示を示す図
【図１０】アルバム用制御リストalbum001.lstが消失してしまった状態の図３のフォルダ構成を示す図
【図１１】アルバム用制御リストalbum001.lstが消失してしまった状態の図４のマスタの制御リストとアルバム用制御リストの関係を示す図
【図１２】図２のＣＰＵによる解決方法（２）の処理の流れを示す図
【図１３】図７の処理で表示されるアルバム復旧中表示の第１の変形例を示す図
【図１４】図７の処理で表示されるアルバム復旧中表示の第２の変形例を示す第１の図
【図１５】図７の処理で表示されるアルバム復旧中表示の第２の変形例を示す第２の図
【図１６】図７の処理で表示されるアルバム復旧中表示の第２の変形例を示す第３の図
【図１７】データ記録再生装置としてのＤＳＣ単体構成を示す図
【図１８】データ記録再生装置の第１の変形例構成を示す図
【図１９】はデータ記録再生装置の第２の変形例構成を示す図
【符号の説明】
【００５９】
２…ＤＳＣ
４…液晶表示部
５…ファインダ
６…パワーＬＥＤ
９…選択／決定ボタン
１０…シャッタ
１１…モード選択ダイヤル
１９…圧縮伸長エンジン
２０…撮像装置
２１…ＣＰＵ
２２…ＲＯＭ
２３…ＲＡＭ
２４…画像記憶部
２５…ファイル管理部
２６…外部Ｉ／Ｆ
代理人    弁理士    伊藤  進
【図１】
2005285164.tif 000003
【図２】
2005285164.tif 000004
【図３】
2005285164.tif 000005
【図４】
2005285164.tif 000006
【図５】
2005285164.tif 000007
【図６】
2005285164.tif 000008
【図７】
2005285164.tif 000009
【図８】
2005285164.tif 000010
【図９】
2005285164.tif 000011
【図１０】
2005285164.tif 000012
【図１１】
2005285164.tif 000013
【図１２】
2005285164.tif 000014
【図１３】
2005285164.tif 000015
【図１４】
2005285164.tif 000016
【図１５】
2005285164.tif 000017
【図１６】
2005285164.tif 000018
【図１７】
2005285164.tif 000019
【図１８】
2005285164.tif 000020
【図１９】
2005285164.tif 000021